(57)【要約】      （修正有）【課題】配光角を広げるとともに、照射角度による色合いのばらつきを抑制する発光装置を提供する。【解決手段】発光素子３と、透光性を有する樹脂と第１濃度の蛍光体を含み、前記発光素子を覆う第１封止部４と、透光性を有する樹脂と前記第１濃度よりも高い第２濃度の蛍光体を含み、前記第１封止部の上に設けられる第２封止部５と、を備えている。そして、前記第１封止部の面のうちの前記第１封止部と前記第２封止部との境界面１０に交差する方向の面と、前記第２封止部の面のうちの前記境界面に交差する方向の面が露出している。また、前記第２封止部に含まれる蛍光体は、前記第１封止部に含まれる蛍光体と同じ波長の蛍光を発する。また、前記境界面は、梨地面である。また、前記第１封止部および前記第２封止部は、四角柱形状を有する。【選択図】図１
2013157397.tif 000002
【特許請求の範囲】
【請求項１】
発光素子と、
透光性を有する樹脂と第１濃度の蛍光体を含み、前記発光素子を覆う第１封止部と、
透光性を有する樹脂と前記第１濃度よりも高い第２濃度の蛍光体を含み、前記第１封止部の上に設けられる第２封止部と、
を備え、
前記第１封止部の面のうちの前記第１封止部と前記第２封止部との境界面に交差する方向の面と、前記第２封止部の面のうちの前記境界面に交差する方向の面と、が露出し、
前記第２封止部に含まれる蛍光体は、前記第１封止部に含まれる蛍光体と同じ波長の蛍光を発し、
前記第１封止部には、複数の種類の蛍光体が含まれ、前記第２封止部には、前記第１封止部に含まれる複数の種類の蛍光体と同じ種類の蛍光体が含まれ、
前記境界面は、梨地面であり、
前記第１封止部および前記第２封止部は、四角柱形状を有する発光装置。
【請求項２】
発光素子と、
透光性を有する樹脂を含み、前記発光素子を覆う第１封止部と、
透光性を有する樹脂と蛍光体を含み、前記第１封止部の上に設けられる第２封止部と、
を備え、
前記第１封止部の面のうちの前記第１封止部と前記第２封止部との境界面に交差する方向の面と、前記第２封止部の面のうちの前記境界面に交差する方向の面と、が露出している発光装置。
【請求項３】
前記第１封止部は、第１濃度の蛍光体をさらに含み、
前記第２封止部は、前記第１濃度よりも高い第２濃度の蛍光体を含む請求項２記載の発光装置。
【請求項４】
前記第２封止部に含まれる蛍光体は、前記第１封止部に含まれる蛍光体と同じ波長の蛍光を発する請求項２または３に記載の発光装置。
【請求項５】
前記第１封止部には、複数の種類の蛍光体が含まれ、
前記第２封止部には、前記第１封止部に含まれる複数の種類の蛍光体と同じ種類の蛍光体が含まれる請求項２〜４のいずれか１つに記載の発光装置。
【請求項６】
前記境界面は、梨地面である請求項２〜５のいずれか１つに記載の発光装置。
【請求項７】
前記第１封止部および前記第２封止部は、四角柱形状を有する請求項２〜６のいずれか１つに記載の発光装置。
【発明の詳細な説明】
【技術分野】
【０００１】
本発明の実施形態は、発光装置に関する。
【背景技術】
【０００２】
発光ダイオード（ＬＥＤ；Light Emitting Diode））を備えた発光装置においては、照射角度により色合いが変化するという問題がある。  
例えば、この様な発光装置を照明器具に組み込んだ場合、照明器具を見る角度により色の見え方が異なるという不都合が生じてしまう。  
この場合、基板などに発光ダイオードを設ける構成を有する発光装置においては、製造方法や構造的な要因から前述した問題が発生しやすくなる。
一方、反射枠の底部に発光素子を備えた発光装置がある。  
反射枠を有する発光装置においては、配光角が狭くなるという問題がある。  
そのため、配光角を広くするとともに、照射角度による色合いのばらつきを抑えることができる発光装置が望まれていた。
【先行技術文献】
【特許文献】
【０００３】
【特許文献１】特開２００５−９３８９６号公報
【発明の概要】
【発明が解決しようとする課題】
【０００４】
本発明が解決しようとする課題は、配光角を広げることができるとともに、照射角度による色合いのばらつきを抑制することができる発光装置を提供することである。
【課題を解決するための手段】
【０００５】
実施形態に係る発光装置は、発光素子と、透光性を有する樹脂と第１濃度の蛍光体を含み、前記発光素子を覆う第１封止部と、透光性を有する樹脂と前記第１濃度よりも高い第２濃度の蛍光体を含み、前記第１封止部の上に設けられる第２封止部と、を備えている。そして、前記第１封止部の面のうちの前記第１封止部と前記第２封止部との境界面に交差する方向の面と、前記第２封止部の面のうちの前記境界面に交差する方向の面が露出している。  
また、前記第２封止部に含まれる蛍光体は、前記第１封止部に含まれる蛍光体と同じ波長の蛍光を発する。  
また、前記第１封止部には、複数の種類の蛍光体が含まれ、前記第２封止部には、前記第１封止部に含まれる複数の種類の蛍光体と同じ種類の蛍光体が含まれる。
また、前記境界面は、梨地面である。  
また、前記第１封止部および前記第２封止部は、四角柱形状を有する。
【図面の簡単な説明】
【０００６】
【図１】実施形態に係る発光装置を例示する模式断面図
【図２】蛍光体の濃度について例示する模式断面図
【図３】比較例に係る発光装置における色合いのばらつきを例示するグラフ図
【図４】実施形態に係る発光装置における色合いのばらつきを例示するグラフ図
【図５】実施形態に係る発光装置における色合いのばらつきを例示するグラフ図
【図６】他の実施形態に係る発光装置を例示する模式断面図
【発明を実施するための形態】
【０００７】
以下、図面を参照しつつ、実施形態について例示する。なお、各図面中、同様の構成要素には同一の符号を付して詳細な説明は適宜省略する。また、各図中の矢印Ｘ、Ｙ、Ｚは互いに直交する三方向を表しており、例えば、矢印Ｘ、Ｙは基部２の主面と平行な方向、矢印Ｚは基部２の主面と垂直な方向を表している。
【０００８】
図１は、実施形態に係る発光装置を例示する模式断面図である。  
図１に示すように、発光装置１には、基部２、発光素子３、封止部４（第１封止部の一例に相当する）、封止部５（第２封止部の一例に相当する）が設けられている。  
基部２は、一対の基体２ａおよび基体２ｂを有する。基体２ａおよび基体２ｂは、平板状を呈し、同一平面上に配置されている。また、基体２ａと基体２ｂとは、相互に離隔している。基体２ａおよび基体２ｂは、導電性材料から形成されている。例えば、基部２は、銅板などから形成されたリードフレームとすることができる。なお、基部２は、プリント配線基板などとすることもできる。
【０００９】
発光素子３は、例えば、発光ダイオードとすることができる。発光素子３は、例えば、ｐ形となるようにドープされた半導体（ｐ形半導体）から形成された層と、発光層と、ｎ形となるようにドープされた半導体（ｎ形半導体）から形成された層と、が積層されたものとすることができる。
【００１０】
発光素子３は、例えば、青色の光を出射する青色発光ダイオードとすることができる。  この場合、半導体としては、例えば、ＧａＮ（窒化ガリウム）、ＡｌＮ（窒化アルミニウム）、ＡｌＧａＮ（窒化アルミニウムガリウム）、ＩｎＧａＮ（窒化インジウムガリウム）などの窒化物半導体を例示することができる。
【００１１】
発光層は、例えば、正孔および電子が再結合して光を発生するＩｎＧａＮからなる井戸層と、井戸層よりも大きなバンドギャップを有するＧａＮからなる障壁層と、によって構成された量子井戸構造を有するものとすることができる。
【００１２】
なお、図１においては、１つの発光素子３を発光装置１の中央に設ける場合を例示したが、発光素子３の数や配置はこれに限定されるわけではない。例えば、複数の発光素子３を発光装置１の中心軸に対して対称に設けるようにすることもできる。
【００１３】
発光素子３は、例えば、直方体形状や立方体形状などの四角柱形状を有する。  
発光素子３は、接合部６を介して基体２ａの主面上に設けられている。  
接合部６は、導電性を有するものであってもよいし、絶縁性を有するものであってもよい。導電性を有する接合部６としては、例えば、銀ペースト、半田、共晶半田などから形成されたものとすることができる。絶縁性を有する接合部６としては、例えば、樹脂ペーストなどから形成されたものとすることができる。
【００１４】
発光素子３の上面３ｃには、端子３ａおよび端子３ｂが設けられている。発光素子３は、端子３ａと端子３ｂとの間に電圧が印加されることで、発光面である上面３ｃから光を出射する。  
発光素子３の端子３ａには、配線７の一端が接続されている。配線７の他端は、基体２ａの主面と接続されている。これにより、発光素子３は、端子３ａ、配線７を介して基体２ａと電気的に接続される。
【００１５】
発光素子３の端子３ｂには、配線８の一端が接続されている。配線８の他端は、基体２ｂの主面と接続されている。これにより、発光素子３は、端子３ｂ、配線８を介して基体２ｂと電気的に接続される。  
配線７および配線８は、金、銅、アルミニウムなどの金属から形成される。  
なお、一例として、配線７、配線８により電気的な接続を行う場合を例示したがこれに限定されるわけではない。  
例えば、１本の配線で電気的に接続することもできるし、フリップチップのように配線を用いずに電気的に接続することもできる。
【００１６】
封止部４は、透光性を有する樹脂と蛍光体とを有する。  
透光性を有する樹脂としては、例えば、透明な樹脂や半透明な樹脂を例示することができる。  
この場合、封止部４を形成する樹脂は、蛍光体を均等に分散させることができるものとされる。  
透光性を有する樹脂としては、例えば、エポキシ樹脂、シリコーン系樹脂、メタクリル樹脂(PMMA)、ポリカーボネート(PC)、環状ポリオレフィン(COP)、脂環式アクリル(OZ)、アリルジグリコールカーボネート(ADC)、アクリル系樹脂、フッ素系樹脂、シリコーン系樹脂とエポキシ樹脂とのハイブリット樹脂、ウレタン樹脂などを例示することができる。
【００１７】
蛍光体は、透光性を有する樹脂の内部に分散されている。蛍光体は、粒状を呈し、発光素子３から出射された光の一部を吸収して、所定の波長を有する蛍光を発する。  
例えば、蛍光体は、発光素子３から出射された青色の光の一部を吸収して、黄色の蛍光を発するものとすることができる。この場合、封止部４からは、蛍光体に吸収されなかった青色の光と、蛍光体から発せられた黄色の光とが出射する。
【００１８】
なお、１種類の蛍光体を用いることもできるし、複数の種類の蛍光体を組み合わせて用いることもできる。  
例えば、発光素子３から出射される青色の光に対して、黄色の蛍光を発する蛍光体のみを用いることができる。また、発光素子３から出射される青色の光に対して、赤色の蛍光を発する蛍光体と、緑色の蛍光を発する蛍光体とを組み合わせて用いることもできる。この場合、封止部４からは青色の光と赤色の光と緑色の光とが出射することになる。
【００１９】
黄色の蛍光を発する蛍光体の材料としては、例えば、以下のものを例示することができる。ただし、これらに限定されるわけではなく適宜変更することができる。    
Ｌｉ（Ｅｕ，Ｓｍ）Ｗ２Ｏ８、  
（Ｙ，Ｇｄ）３，（Ａｌ，Ｇａ）５Ｏ１２：Ｃｅ３＋、  
Ｌｉ２ＳｒＳｉＯ４：Ｅｕ２＋、  
（Ｓｒ（Ｃａ，Ｂａ））３ＳｉＯ５：Ｅｕ２＋、  
ＳｒＳｉ２ＯＮ２．７：Ｅｕ２＋
赤色の蛍光を発する蛍光体の材料としては、例えば、以下のものを例示することができる。ただし、これらに限定されるわけではなく適宜変更することができる。  
Ｌａ２Ｏ２Ｓ：Ｅｕ，Ｓｍ、  
ＬａＳｉ３Ｎ５：Ｅｕ２＋、  
α−ｓｉａｌｏｎ：Ｅｕ２＋、    
ＣａＡｌＳｉＮ３：Ｅｕ２＋、  
（ＳｒＣａ）ＡｌＳｉＮ３：ＥｕＸ＋、  
Ｓｒｘ（ＳｉｙＡｌ３）ｚ（ＯｘＮ）：ＥｕＸ＋
緑色の蛍光を発する蛍光体の材料としては、例えば、以下のものを例示することができる。ただし、これらに限定されるわけではなく適宜変更することができる。  
（Ｂａ，Ｓｒ，Ｍｇ）Ｏ・ａＡｌ２Ｏ３：Ｍｎ、    
（ＢｒＳｒ）ＳｉＯ４：Ｅｕ、  
α−ｓｉａｌｏｎ：Ｙｂ２＋、  
β−ｓｉａｌｏｎ：Ｅｕ２＋、    
（ＣａＳｒ）Ｓｉ２Ｏ４Ｎ７：Ｅｕ２＋、  
Ｓｒ（ＳｉＡｌ）（ＯＮ）：Ｃｅ  
なお、蛍光体が発する蛍光の色の種類や組み合わせは、例示をしたものに限定されるわけではなく、発光素子３から出射される光の波長などに応じて適宜変更することができる。
【００２０】
封止部４は、例えば、直方体形状や立方体形状などの四角柱形状を有する。  
封止部４は、基体２ａ、基体２ｂ、発光素子３、配線７、配線８を覆うように設けられる。  
基体２ａの一部、および基体２ｂの一部は、封止部４の下面および側端面（Ｘ方向、Ｙ方向における面）において露出している。すなわち、封止部４は、発光素子３、配線７、配線８を覆い、基体２ａおよび基体２ｂのそれぞれの上面、下面の一部、および側端面の一部を覆い、下面の残部および側端面の残部を露出させている。基体２ａおよび基体２ｂの露出している部分は、外部との電気的な接続をする際の端子とすることができる。
【００２１】
封止部５は、封止部４の上に設けられている。封止部５を形成する樹脂と蛍光体は、封止部４を形成する樹脂と蛍光体と同様とすることができる。  
この場合、封止部５に含まれる蛍光体は、封止部４に含まれる蛍光体と同じ波長の蛍光を発する。  
封止部４に複数の種類の蛍光体が含まれる場合には、封止部５にも封止部４に含まれる複数の種類の蛍光体と同じ種類の蛍光体が含まれる。
【００２２】
例えば、封止部４に黄色の蛍光を発する蛍光体が含まれる場合には、封止部５にも黄色の蛍光を発する蛍光体が含まれる。また、例えば、封止部４に赤色の蛍光を発する蛍光体と、緑色の蛍光を発する蛍光体とが含まれる場合には、封止部５にも赤色の蛍光を発する蛍光体と、緑色の蛍光を発する蛍光体とが含まれる。
【００２３】
ただし、封止部５における蛍光体の濃度（第２濃度）は、封止部４における蛍光体の濃度（第１濃度）よりも高くなっている。なお、封止部４および封止部５における蛍光体の濃度に関する詳細は後述する。
【００２４】
封止部５は、例えば、直方体形状や立方体形状などの四角柱形状を有する。  
封止部５のＸ方向の寸法、Ｙ方向の寸法は、封止部４のＸ方向の寸法、Ｙ方向の寸法とそれぞれ同じとなっている。  
そのため、発光装置１は、直方体形状や立方体形状などの四角柱形状を有するものとなる。  
発光装置１の外形を四角柱形状とすれば、例えば、リードフレーム上などに複数の発光装置１を一括して形成し、ブレードダイシング法などを用いて各発光装置１毎に個片化することができる。そのため、発光装置１の生産効率を向上させることができる。
【００２５】
発光装置１には、発光素子３から出射し、封止部４および封止部５の側端面４ａ、５ａに向かう光を反射させるすり鉢状の反射枠が設けられていない。  
すなわち、封止部４と封止部５との境界面１０に交差する方向の封止部４の面（側端面４ａ）および封止部５の面（側端面５ａ）が露出している。  
そのため、発光素子３から出射し、封止部４および封止部５の側端面４ａ、５ａに向かう光は、側端面４ａ、５ａから外部に向けて出射することができる。その結果、発光装置１における配光角を広げ、側端面４ａ、５ａから出射される光の混色性を強めることができる。
【００２６】
封止部４と、封止部５との境界面１０は梨地面（凹凸を有する面）とすることができる。すなわち、封止部４の上面、および封止部５の下面の少なくともいずれかを梨地面とすることができる。封止部４と、封止部５との境界面１０を梨地面とすれば、発光素子３から出射した光が境界面１０において反射されるのを抑制することができる。そのため、発光装置１における光の取り出し効率を向上させることができる。また、梨地面による光の散乱効果により、発光色の混色性が向上し色合いのばらつきを低減させることができる。
【００２７】
次に、封止部４および封止部５における蛍光体の濃度についてさらに例示する。  図２は、蛍光体の濃度について例示する模式断面図である。なお、図２（ａ）は比較例に係る発光装置１１の場合、図２（ｂ）は本実施形態に係る発光装置１の場合である。また、煩雑となるのを避けるために配線７、配線８などは省略している。
【００２８】
図２（ａ）に示すように、比較例に係る発光装置１１には１つの封止部１４が設けられている。  
この場合、発光素子３から出射する光の方向によって封止部１４の内部を光が透過する際の透過長が異なるものとなる。封止部１４の内部を光が透過する際の透過長が異なると、その間に含まれる蛍光体の量が異なるものとなる。例えば、封止部１４の内部を光が透過する際の透過長が長くなると、その間に含まれる蛍光体の量が多くなる。そのため、蛍光体から発せられる蛍光の量が多くなる。その結果、発光装置１１から出射する光の方向によって色合いが異なるものとなる。
【００２９】
例えば、発光素子３から青色の光３０ａが出射し、封止部１４には黄色の蛍光を発する蛍光体が含まれているとする。  
この場合、発光素子３からＺ方向（発光装置１１の正面側）に向かう光３０ａが封止部１４の内部を透過する際の透過長は短くなる。そのため、蛍光体が発する黄色の蛍光の量が少なくなり、青色に近い光３０ｂが発光装置１１から出射する。
【００３０】
一方、発光素子３からＸ方向やＹ方向（発光装置１１の側面側）に向かう光３０ａが封止部１４の内部を透過する際の透過長は長くなる。そのため、蛍光体が発する黄色の蛍光の量が多くなり、黄色に近い光３０ｃが発光装置１１から出射する。  
これと同様に、発光装置１１から出射する光３０ｄは黄色に近くなり、光３０ｅは黄色みがかった青色となる。  
この様に、比較例に係る発光装置１１においては、発光装置１１から出射する光の色合いのばらつきが大きくなる。  
この場合、封止部１４の寸法や蛍光体の濃度によって、発光装置１１から出射する方向における光の色合いが一義的に決まることになる。そのため、例えば、青色に近い光３０ｂと、黄色みがかった青色の光３０ｅとが混ざり合った光の色を白色にするのは困難となる。
【００３１】
図２（ｂ）に示すように、本実施形態に係る発光装置１には封止部４および封止部５が設けられている。この場合、発光素子３から青色の光３０ａが出射し、封止部４および封止部５には黄色の蛍光を発する蛍光体が含まれているとする。  
ただし、封止部５における蛍光体の濃度は、封止部４における蛍光体の濃度よりも高くなっている。  
また、封止部１４の蛍光体の濃度に比べて、封止部４の蛍光体の濃度を低く、封止部５の蛍光体の濃度を高くしている。
【００３２】
この場合、発光素子３からＺ方向（発光装置１の正面側）に向かう光３０ａが封止部４および封止部５の内部を透過する際の透過長は短くなる。  
一方、発光素子３からＸ方向やＹ方向（発光装置１の側端面側）に向かう光３０ａが封止部４の内部を透過する際の透過長は長くなる。  
この場合、封止部１４の蛍光体の濃度に比べて、封止部４の蛍光体の濃度が低くなっているので、発光装置１の側面側に出射する光３０ｃ１は光３０ｃに比べて青味がかることになる。
【００３３】
また、封止部１４の蛍光体の濃度に比べて、封止部５の蛍光体の濃度が高くなっているので、封止部４の蛍光体の濃度が低くなっていても発光装置１の正面側に出射する光３０ｂ１を前述した光３０ｂと同様の色合いとすることができる。  
この様に、側端面側に出射する光３０ｃ１の波長を正面側に出射する光３０ｂ１の波長に近づけることができる。  
また、発光装置１から出射する光３０ｄ１は黄色に近くなり、光３０ｅ１は黄色みがかった青色となる。
【００３４】
ここで、比較例に係る発光装置１１においては、封止部１４の寸法や蛍光体の濃度によって、発光装置１１から出射する方向における光の色合いが一義的に決まることになる。  これに対して、本実施形態に係る発光装置１においては、封止部４の蛍光体の濃度と、封止部５における蛍光体の濃度とにより、発光装置１から出射する方向における光の色合いを制御することができる。
【００３５】
図３は、比較例に係る発光装置１１における色合いのばらつきを例示するグラフ図である。  
なお、図３は発光素子３から出射し封止部１４を透過した光をシミュレーション分析したものである。  
図３における横軸は照射角度を表しており、０ｄｅｇは発光装置１１の正面側、９０ｄｅｇ、−９０ｄｅｇは発光装置１１の側面側である。  
図３における縦軸は色度を表しており、図中の上側になるほど黄色となり、図中の下側になるほど青色となる。  
図中の「ｄ」は、封止部１４の厚み寸法である。  
図３（ａ）は色度Ｃｘの場合、図３（ｂ）は色度Ｃｙの場合である。  
ここで、色合いのばらつきは、照射角度に対する色度の差で表される。
例えば、０ｄｅｇにおける色度と、９０ｄｅｇまたは−９０ｄｅｇにおける色度との差が小さくなるほど色合いのばらつきが小さくなる。  
図３（ａ）、（ｂ）から分かるように、比較例に係る発光装置１１においては、色度差ΔＣｘは０．１程度、色度差ΔＣｙは０，１以上となる。  
この場合、封止部１４の厚み寸法ｄを変化させても色度差が大きくなることに変わりはない。
【００３６】
図４は、実施形態に係る発光装置１における色合いのばらつきを例示するグラフ図である。  
なお、図４は発光素子３から出射し封止部４、封止部５を透過した光をシミュレーション分析したものである。  
また、縦軸と横軸に関しては図３と同様である。  
封止部４の厚み寸法ｄ１は０．４ｍｍ、封止部５の厚み寸法ｄ２は０．２ｍｍとしている。  
また、蛍光体の濃度は、単位体積中における蛍光体粒子の数で表している。  
図中のＡは封止部４の蛍光体の濃度が１個／ｍｍ３の場合、Ｂは封止部４の蛍光体の濃度が１００００個／ｍｍ３の場合、Ｃは封止部４の蛍光体の濃度が２００００個／ｍｍ３の場合である。  
この場合、封止部５の蛍光体の濃度は、色度ＣｘがＣｘ＝０．３４５となるように調整されたものとする。なお、封止部４の蛍光体の濃度は、前述のように異なるものとなる。
図４（ａ）は色度Ｃｘの場合、図４（ｂ）は色度Ｃｙの場合である。  
図４（ａ）、（ｂ）から分かるように、実施形態に係る発光装置１においては、色度差ΔＣｘは０．０５程度、色度差ΔＣｙは０．０７程度とすることができる。  
すなわち、実施形態に係る発光装置１によれば、色度差を小さくすることができるので、照射角度による色合いのばらつきを抑制することができる。  
この場合、封止部４の蛍光体の濃度を小さくしすぎると発光装置１の側端面側に青色の光が出射されやすくなる。  
ただし、この青色の光は、封止部５の側端面から出射される黄色みがかった光と混色し、側端面部全体でみれば白色となる。
このように、各部分から出射される光の混色によって白色となり、照射角度による色合いのばらつきを抑制することができる。
【００３７】
図５も、実施形態に係る発光装置１における色合いのばらつきを例示するグラフ図である。  
図５も発光素子３から出射し封止部４、封止部５を透過した光をシミュレーション分析したものである。  
図５は、図４に例示をした場合において、パッケージサイズ（封止部４、５における発光素子３の上面３ｃと平行な方向の平面寸法）を同等とし、封止部４の厚み寸法ｄ１を厚くした場合である。  
すなわち、封止部４の厚み寸法ｄ１は０．６ｍｍ、封止部５の厚み寸法ｄ２は０．２ｍｍとしている。  
図中のＡは封止部４の蛍光体の濃度が１個／ｍｍ３の場合、Ｂは封止部４の蛍光体の濃度が１００００個／ｍｍ３の場合、Ｃは封止部４の蛍光体の濃度が２００００個／ｍｍ３の場合、Ｄは封止部４の蛍光体の濃度が３００００個／ｍｍ３の場合である。  
この場合、封止部５の蛍光体の濃度は、色度ＣｘがＣｘ＝０．３４５となるように調整されたものとする。なお、封止部４の蛍光体の濃度は、前述のように異なるものとなる。
図５（ａ）は色度Ｃｘの場合、図５（ｂ）は色度Ｃｙの場合である。  
図５（ａ）、（ｂ）から分かるように、封止部４の厚みを厚くした場合であっても、色度差を小さくすることができるので、照射角度による色合いのばらつきを抑制することができる。  
ただし、封止部４の厚みを厚くすると、発光装置１の側端面側に青色の光が出射されやすくなる。  
この場合、封止部４の蛍光体の濃度を高くするようにすれば、図４に例示をした場合と同様の効果を得ることができる。
【００３８】
本発明者の得た知見によれば、パッケージサイズを２．５５ｍｍ×２．１５ｍｍとした場合、封止部４の蛍光体の濃度は、３０００個／ｍｍ３以下とすることが好ましい。  
封止部４の厚み寸法は、０．０５ｍｍ以上、０．６ｍｍ以下とすることが好ましい。    また、封止部５の厚み寸法は、０．０２ｍｍ以上、０．２ｍｍ以下とすることが好ましい。  
なお、封止部５の蛍光体の濃度は、封止部４の蛍光体濃度と、所望の色度によって決定される。
この様にすれば、照射角度による色合いのばらつきをより確実に抑制することができる。
【００３９】
図６は、他の実施形態に係る発光装置を例示する模式断面図である。  
図６に示すように、発光装置１０には、基部２、発光素子３、封止部４０（第１封止部の一例に相当する）、封止部５が設けられている。  
封止部４０の形態は、前述した封止部４と同様とすることができる。  
例えば、封止部４０と封止部５との境界面１０に交差する方向の封止部４０の面（側端面４０ａ）および封止部５の面（側端面５ａ）が露出している。  
ただし、封止部４０は透光性を有する樹脂を有しているが、蛍光体は含んでいない。
この場合、透光性を有する樹脂は、封止部４において例示をしたものと同様とすることができる。
ここで、封止部４０に蛍光体が含まれていないとしても、図４、図５において例示をした場合と同様に、封止部４０の側端面から照射される青色の光と、封止部５の側端面から照射される黄色みがかった光との混色によって白色となるので、照射角度による色合いのばらつきを小さくすることができる。
【００４０】
以上に例示をした実施形態によれば、配光角を広げることができるとともに、照射角度による色合いのばらつきを抑制することができる発光装置を実現することができる。  
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００４１】
１  発光装置、２  基部、３  発光素子、４  封止部、４ａ  側端端面、５  封止部、５ａ  側端端面、１０  境界面、３０ａ  光、３０ｂ１  光、３０ｃ１  光、３０ｄ１  光、３０ｅ１  光、４０  封止部
【図１】
2013157397.tif 000003
【図２】
2013157397.tif 000004
【図３】
2013157397.tif 000005
【図４】
2013157397.tif 000006
【図５】
2013157397.tif 000007
【図６】
2013157397.tif 000008